(57)【特許請求の範囲】
【請求項１】
発泡樹脂によって、上面が開放された中空の直方体状に構成されており、内部に緩衝作用を発揮する粒体が収容される粒体収容部が設けられていることを特徴とする緩衝用ブロック。
【請求項２】
内部の粒体収容部と外部とを連通する水抜き孔が下部に設けられている請求項１に記載の緩衝用ブロック。
【請求項３】
請求項１に記載の複数の緩衝用ブロックが、それぞれの粒体収容部内に緩衝用粒体を収容した状態で、水平方向に敷き詰められて緩衝用ブロックの層が形成されており、複数の緩衝用ブロックの層が上下方向にて積み重ねられていることを特徴とする緩衝構造。
【発明の詳細な説明】
【０００１】
【発明の属する技術分野】
本発明は、道路、鉄道用軌道等を覆う保護構造物の屋根上に、落石等に対する衝撃を緩和するように配置される緩衝用ブロック、および、その緩衝用ブロックを使用した緩衝構造に関する。
【０００２】
【従来の技術】
山の斜面に沿って形成された道路、鉄道用軌道では、落石による事故を防止するために、シェッド、キーパー等の保護構造物が構築される。この保護構造物は、道路等を覆う構造になっており、道路等の上方に水平状態または水平に対して若干傾斜した状態の屋根が設けられている。この屋根は、通常、道路等の一方の側縁部に沿って山の斜面を覆うように設けられた壁体と、道路の他方の側縁部に沿って設けられた複数の支柱とによって支持されている。
【０００３】
このような保護構造物は、山の斜面に沿って落石が発生しても、その落石は、保護構造物の屋根によって、道路等に落下することが防止される。また、保護構造物の屋根には、落石等による衝撃を緩和するために、緩衝材が設けられている。緩衝材としては、通常、砂が敷き詰められていたが、屋根上に敷き詰められた砂が流出しないように、屋根上に擁壁を設ける必要があり、その作業が煩わしく、また、経済性を損ねるという問題がある。また、敷き詰められた砂が、降雨等によって、屋根のいずれか一方に片寄った状態になり、屋根全体にわたって十分な緩衝作用が発揮されないおそれもある。さらに、緩衝効果を大きくするために、砂を厚く敷き詰めると、屋根に加わる荷重が大きくなり、反対に、落石等の衝撃によって屋根が破壊されるおそれもある。
【０００４】
このために、最近では、軽量な発泡樹脂によって構成されたブロックを緩衝材として使用することが行われている。発泡樹脂によって構成された緩衝用ブロックは、軽量であって緩衝性に優れているが、砂のように、荷重を分散させることができず、そのために、落石等によって緩衝用ブロック自体が破損するおそれがある。
【０００５】
このような問題を解決するために、特公平６−４７８０６号公報および特公平７−１２２２４２号公報には、屋根上に砂の層と緩衝用ブロックの層とを交互に積み重ねる構成が開示されている。
【０００６】
【発明が解決しようとする課題】
しかしながら、この場合にも、屋根上に砂を敷き詰めて層を形成するために、砂を締め固めたり、擁壁を構築する必要があり、施工性に問題がある。また、緩衝用ブロックの層と砂層とが交互に積み重ねられることによって、砂層が締め固められて、十分な緩衝効果が発揮されないおそれもある。
【０００７】
本発明は、このような問題を解決するものであり、その目的は、落石等に対して優れた緩衝作用を発揮し、しかも施工性に優れた緩衝用ブロックおよび緩衝構造を提供することにある。
【０００８】
【課題を解決するための手段】
本発明の請求項１に記載の緩衝用ブロックは、発泡樹脂によって、上面が開放された中空の直方体状に構成されており、内部に緩衝作用を発揮する粒体が収容される粒体収容部が設けられていることを特徴とする。
【０００９】
請求項２に記載の緩衝用ブロックは、内部の粒体収容部と外部とを連通する水抜き孔が下部に設けられている。
【００１０】
請求項３に記載の緩衝構造は、請求項１に記載の複数の緩衝用ブロックが、それぞれの粒体収容部内に緩衝用粒体を収容した状態で、水平方向に敷き詰められて緩衝用ブロックの層が形成されており、複数の緩衝用ブロックの層が上下方向にて積み重ねられていることを特徴とする。
【００１１】
【発明の実施の形態】
以下、本発明の実施の形態を、図面に基づいて詳細に説明する。
【００１２】
図１は、本発明の緩衝用ブロックの実施の形態の一例を示す斜視図である。この緩衝用ブロック１０は、道路、鉄道用軌道等を落石から保護するために設置されるシェッド、キーパー等の保護構造物の屋根上に、落石に対する衝撃を緩和するために設けられる緩衝構造を構築するために使用されるようになっている。
【００１３】
緩衝用ブロック１０は、長方形に構成された平坦な底面１１と、底面１１の長手方向に延びる各辺に沿って垂直に配置された一対の側面１２と、底面１１の幅方向に延びる各辺に沿って垂直に配置された一対の端面１３とによって、上面が開放された中空の直方体状に構成されている。緩衝用ブロック１０の内部は、幅方向中央部に長手方向に沿って垂直に配置された隔壁１４と、長手方向中央部に幅方向に沿って垂直に配置された隔壁１５とによって、４つの凹部に仕切られており、各凹部は、それぞれ、緩衝作用を発揮する砂等の緩衝用粒体がそれぞれ収容される粒体収容部１６になっている。。
【００１４】
長手方向に沿った各側面１２における下部の各コーナー部には、各側面１２をそれぞれ貫通して、内部の各粒体収容部１６と緩衝用ブロック１０の外部とを連通するする水抜き孔１２ａがそれぞれ設けられている。また、底面１１における各コーナー部にも、底面１１をそれぞれ貫通して、内部の各粒体収容部１６と緩衝用ブロック１０の外部とを連通するする水抜き孔１１ａがそれぞれ設けられている。
【００１５】
このような緩衝用ブロック１０は、例えば、密度が３０ｋｇ／ｍ3 の発泡ポリスチレンを、型内法によって、長手方向の長さが２０００ｍｍ、幅方向の長さが１０００ｍｍ、各端面１３の厚さが２００ｍｍ、各側面１２の厚さが１５０ｍｍ、幅方向に沿った隔壁１５の厚さが２００ｍｍ、長手方向に沿った隔壁１４および底面１１の厚さが１５０ｍｍにそれぞれ成形されている。型内法は、発泡剤を含有した樹脂粒子を予備発泡し、得られた予備発泡粒子を成形型内に充填して型内で発泡成形する方法である。なお、緩衝用ブロック１０としては、発泡ポリスチロールに限らず、ポリプロピレン発泡樹脂、スチレン改質ポリオレフィン発泡樹脂等によって構成してもよい。
【００１６】
このような構成の緩衝用ブロック１０は、例えば、図２に示すように、コンクリート製の保護構造物２０の屋根２１上に配置されて本発明の緩衝構造とされる。保護構造物２０は、山の斜面に沿って設けられた擁壁２２と、擁壁２２とは道路３０を挟んだ道路３０の側縁に沿って、水平方向に適当な間隔をあけて垂直に配置された支柱２３との間にわたって屋根２１が水平状態で架設されて構成されている。
【００１７】
保護構造物２０の屋根２１上には、敷砂２４が一定の厚さで敷き詰められており、その敷砂２４上に、複数の緩衝用ブロック１０が、それぞれの粒体収容部１６内に、緩衝用粒体としての砂４０（図１参照）を、各粒体収容部１６の容積に対して３０〜６０％の割合でそれぞれ収容した状態で、水平に敷き詰められて、緩衝用ブロック１０の層が形成されている。そして、複数の緩衝用ブロック１０が横方向に敷き詰められて緩衝用ブロック１０の層が形成されると、その敷き詰められた緩衝用ブロック１０上に、同様に、それぞれの粒体収容部１６内に砂４０が適当な割合で収容された緩衝用ブロック１０が水平方向に敷き詰められて、緩衝用ブロック１０の層が形成される。このようにして、緩衝用ブロック１０の層が複数段にわたって積み重ねられる。
【００１８】
このとき、砂４０が収容された各緩衝用ブロック１０を横方向に敷き詰めて、緩衝用ブロック１０の層を順次形成すればよいために、砂を敷き詰める場合のように、擁壁を構築したり、砂を締め固めるような作業が不要になり、きわめて容易である。
【００１９】
緩衝用ブロック１０の層が所定の高さにまで積み重ねられると、各緩衝用ブロック１０の露出した表面に、日光、火気等によって発泡樹脂製の緩衝用ブロック１０が劣化することを防止するために、モルタルの吹き付け、スレート板の取り付け等が実施される。これにより、保護構造物２０の屋根２１上に、本発明の緩衝構造が構築される。
【００２０】
保護構造物２０の屋根２１上に構築された緩衝構造では、落石による衝撃が、発泡ポリスチレンによって構成された各緩衝用ブロック１０によって吸収されるとともに、各緩衝用ブロック１０内に収容された砂４０によって分散された状態で吸収される。従って、落石等によって、保護構造物２０の屋根２１に集中的に荷重が加わるおそれがない。また、各緩衝用ブロック１０内に収容された砂４０には、通常は荷重が加わっていないために締め固まるおそれがなく、従って、落石等による衝撃を、長期にわたって確実に吸収することができる。砂４０は、各緩衝用ブロック１０内に収容された状態であるために、保護構造物２０の屋根２１上にて、砂が一部に片寄るようなおそれもない。
【００２１】
さらに、降雨時には、各緩衝用ブロック１０内に流入する雨水は、各側面１２の下部に設けられた水抜き孔１２ａおよび底面１１に設けられた各水抜き孔１１ａを通って、順次下方に流下する。従って、各緩衝用ブロック１０内に多量の雨水が貯留されて、保護構造物２０に大きな荷重が加わるおそれがない。
【００２２】
各緩衝用ブロック１０を構成する発泡樹脂は、落石等の衝撃を確実に吸収し得るように、その密度が設定され、通常、１０〜１００ｋｇ／ｍ3 程度の密度とされる。また、発泡樹脂の密度によって緩衝用ブロック１０の弾性が異なるために、発泡樹脂の密度に対応させて、緩衝用ブロック１０の高さ、側面１２および端面１３の厚さ等を変更すればよい。各緩衝用ブロック１０内に収容される緩衝用粒体としては、緩衝作用を十分に発揮し得るものであれば、どのようなものであってもよく、砂に限らず、土、パーライト等も使用することができる。
【００２３】
【発明の効果】
本発明の緩衝用ブロックは、このように、発泡樹脂によって、上面が開放された中空の直方板状に構成されているために、緩衝用の粒体が内部の粒体収容部内に収容された状態で積み重ねることにより、容易に、落石等に対する緩衝構造を構築することができる。
【００２４】
また、本発明の緩衝構造は、このような緩衝用ブロック内に緩衝用粒体を収容した状態で敷き詰めた層を複数段にわたって積み重ねたものであるために、容易に構築することができ、しかも、落石等に対する緩衝作用を、長期にわたって安定的に発揮することができる。
【図面の簡単な説明】
【図１】本発明の緩衝用ブロックの実施の形態の一例を示す斜視図である。
【図２】その緩衝用ブロックを使用した本発明の緩衝構造の実施の形態の一例を示す側面図である。
【符号の説明】
１０  緩衝用ブロック
１１  底面
１１ａ  水抜き孔
１２  側面
１２ａ  水抜き孔
１３  端面
１４  隔壁
１５  隔壁
１６  粒体収容部
２０  保護構造物
２１  屋根
【図１】
0003741848.tif 000002
【図２】
0003741848.tif 000003